(57)【要約】【課題】各種電子機器に使用される開閉装置に関し、衝撃が少なく、簡易な構成で良好な開閉操作が可能なものを提供することを目的とする。【解決手段】可動体２と固定体１の間に、略円筒状のケース７と、このケース７内に収納され、ばね９によって外方へ付勢された作動軸８から形成されたばね部材６の両端を装着すると共に、作動軸８外周に緩衝手段を設けることによって、開閉操作時のばね９の反転力が緩和され、衝撃や衝撃音が低減されるため、衝撃が少なく、簡易な構成で良好な開閉操作が可能な開閉装置を得ることができる。【選択図】図１
2007278432.tif 000002
【特許請求の範囲】
【請求項１】
略板状の固定体と、この固定体上面に所定方向へ移動可能に装着された可動体と、両端が上記可動体及び上記固定体の間に装着されたばね部材からなり、上記ばね部材を略円筒状のケースと、このケース内に収納され、ばねによって外方へ付勢された作動軸から形成すると共に、上記作動軸外周に緩衝手段を設けた開閉装置。
【請求項２】
緩衝手段を潤滑剤により形成した請求項１記載の開閉装置。
【発明の詳細な説明】
【技術分野】
【０００１】
本発明は、携帯電話やパーソナルコンピュータ等の各種電子機器に使用される開閉装置に関するものである。
【背景技術】
【０００２】
近年、携帯電話やパーソナルコンピュータ等の電子機器の多様化や高機能化が進むなか、固定筐体に対し可動筐体を開閉させて、様々な操作を行うものが増えており、これらに用いられる開閉装置においても、良好な感触で確実な操作が可能なものが求められている。
【０００３】
このような従来の開閉装置を用いた電子機器について、主に携帯電話を例に、図４及び図５を用いて説明する。
【０００４】
図５は従来の開閉装置の分解斜視図であり、同図において、１は両端が折曲された略板状の固定体、２は同じく可動体で、可動体２が固定体１上面に左右方向へ移動可能に装着されている。
【０００５】
また、３は線状のばねで、中間には螺旋状に巻回された複数の巻回部３Ａが重ねて形成されると共に、この巻回部３Ａ上下端からは上アーム部３Ｂと下アーム部３Ｃが延出している。
【０００６】
さらに、４Ａと４Ｂはかしめ等によって可動体２と固定体１に固着された複数のピンで、対称に配置されやや撓んだ状態の一対のばね３が、このピン４Ａと４Ｂによって上アーム部３Ｂと下アーム部３Ｃ先端を各々係止され、固定体１に対して可動体２を左または右方向へ付勢して、開閉装置５が構成されている。
【０００７】
そして、このように構成された開閉装置５は、例えば、図４の携帯電話の斜視図に示すように、固定体１が上面に複数のキーからなる操作部２２Ａやマイクロフォン等の音声入力部２２Ｂが形成された固定筐体２２へ、可動体２が上面に液晶表示素子等の表示部２３Ａやスピーカ等の音声出力部２３Ｂが形成された可動筐体２３へ各々装着され、開閉装置５によって固定筐体２２に対して可動筐体２３が左右方向へ移動可能に保持されて電子機器が構成される。
【０００８】
以上の構成において、図４や図５に示すように、一対のばね３によって固定体１に対して可動体２が右方向へ付勢された状態では、可動体２が装着された可動筐体２３が固定筐体２２に対して右方向へ付勢され、音声入力部２２Ｂや音声出力部２３Ｂが露出し通話等が可能な、可動筐体２３が開いた状態で保持されている。
【０００９】
そして、この開状態から、可動筐体２３を手で左方向へ摺動すると、この操作に伴って可動筐体２３に装着された可動体２が左方向へ移動し、ピン４Ａによって可動体２に係止された上アーム部３Ｂ先端が、ピン４Ｂによって固定体１に係止された下アーム部３Ｃ先端を超える位置になると、一対のばね３の荷重が反転して可動体２が左方向へ付勢され、可動筐体２３が固定筐体２２上に重なった状態、即ち閉じた状態で保持される。
【００１０】
つまり、可動筐体２３に装着された可動体２を手で左または右方向へ移動させ、ばね３の力によって可動体２を左または右方向へ付勢することで、固定筐体２２に対する可動筐体２３の開閉操作が行われるように構成されている。
【００１１】
なお、上記のように開閉操作が、上アーム部３Ｂと下アーム部３Ｃ先端が可動体２と固定体１に係止された、ばね３の反転力によって行われているため、ばね３の荷重を大きくすれば、開閉操作は速やかに行われるが、この力が衝撃となって固定筐体２２や可動筐体２３に伝わると共に、開閉操作の際に衝撃音が発生してしまう。
【００１２】
また、固定筐体２２を軽く握った状態で開閉操作を行った場合、この衝撃によって電子機器を落下させてしまう場合もあるため、これを防ぐために、固定筐体２２と可動筐体２３との間に、開閉装置５とは別に、ゴム等の弾性体によるダンパー機構を設けて、衝撃を低減し衝撃音が生じないようにすることが一般に行われているものであった。
【００１３】
なお、この出願の発明に関連する先行技術文献情報としては、例えば、特許文献１が知られている。
【特許文献１】特開２００５−６６５２６号公報
【発明の開示】
【発明が解決しようとする課題】
【００１４】
しかしながら、上記従来の開閉装置においては、開閉操作を可動体２と固定体１に両端が係止された、ばね３の反転力によって行っているため、この開閉操作時の衝撃や衝撃音を低減するために、別途ダンパー機構等を設ける必要があり、機器の構成が複雑なものになると共に、高価なものとなってしまうという課題があった。
【００１５】
本発明は、このような従来の課題を解決するものであり、衝撃が少なく、簡易な構成で良好な開閉操作が可能な開閉装置を提供することを目的とする。
【課題を解決するための手段】
【００１６】
上記目的を達成するために本発明は、以下の構成を有するものである。
【００１７】
本発明の請求項１に記載の発明は、可動体と固定体の間に、略円筒状のケースと、このケース内に収納され、ばねによって外方へ付勢された作動軸から形成されたばね部材の両端を装着すると共に、作動軸外周に緩衝手段を設けて開閉装置を構成したものであり、緩衝手段を設けたばね部材によって、開閉操作時のばねの反転力が緩和され、衝撃や衝撃音が低減されるため、衝撃が少なく、簡易な構成で良好な開閉操作が可能な開閉装置を得ることができるという作用を有する。
【００１８】
請求項２に記載の発明は、請求項１記載の発明において、緩衝手段を潤滑剤により形成したものであり、作動軸外周に潤滑剤を塗布するだけで緩衝手段が形成できるため、製作も容易で、安価な開閉装置を実現することができるという作用を有する。
【発明の効果】
【００１９】
以上のように本発明によれば、衝撃が少なく、簡易な構成で良好な開閉操作が可能な開閉装置を実現することができるという有利な効果が得られる。
【発明を実施するための最良の形態】
【００２０】
以下、本発明の実施の形態について、図１〜図４を用いて説明する。
【００２１】
なお、背景技術の項で説明した構成と同一構成の部分には同一符号を付して、詳細な説明を簡略化する。
【００２２】
（実施の形態）
図１は本発明の一実施の形態による開閉装置の分解斜視図であり、同図において、１は両端が折曲された鋼や銅合金等の金属製で略板状の固定体、２は同じく可動体で、可動体２が固定体１上面に左右方向へ移動可能に装着されている。
【００２３】
また、６はばね部材で、図２の断面図と図３の分解斜視図に示すように、金属や絶縁樹脂製で略円筒状のケース７と、このケース７内に左右方向へ移動可能に収納された作動軸８、及び、ケース７左内側面と作動軸８右側面の間にやや撓んだ状態で収納され、作動軸８を右外方へ付勢するコイル状で鋼線や銅合金線等のばね９から形成されている。
【００２４】
そして、ケース７左端には取付孔７Ａが、作動軸８右端には取付孔８Ａが各々形成されると共に、作動軸８左方の外周には凹凸状の複数の溝部８Ｂが設けられ、この作動軸８外周とケース７内周の間には、シリコンやオレフィン、フッ素やエステル系等の潤滑剤（図示せず）が塗布されて、緩衝手段が形成されている。
【００２５】
さらに、４Ａと４Ｂはかしめ等によって可動体２と固定体１に固着された複数のピンで、対称に配置された一対のばね部材６両端の取付孔７Ａと取付孔８Ａが、このピン４Ａと４Ｂによって可動体２と固定体１に各々係止され、ばね部材６によって固定体１に対し可動体２が左または右方向へ付勢されて、開閉装置１０が構成されている。
【００２６】
そして、このように構成された開閉装置１０は、例えば、図４の携帯電話の斜視図に示すように、固定体１が上面に複数のキーからなる操作部２２Ａやマイクロフォン等の音声入力部２２Ｂが形成された固定筐体２２へ、可動体２が上面に液晶表示素子等の表示部２３Ａやスピーカ等の音声出力部２３Ｂが形成された可動筐体２３へ各々装着され、開閉装置１０によって固定筐体２２に対して可動筐体２３が左右方向へ移動可能に保持されて電子機器が構成される。
【００２７】
以上の構成において、図１や図４に示すように、固定体１に対して可動体２が右方向へ移動した状態では、ばね部材６のケース７内に収納された作動軸８が、やや撓んだ状態のばね９によって外方へ付勢されているため、一対のばね部材６によって固定体１に対して可動体２が右方向へ付勢され、可動体２が装着された可動筐体２３も固定筐体２２に対して右方向へ付勢されて、音声入力部２２Ｂや音声出力部２３Ｂが露出し通話等が可能な、可動筐体２３が開いた状態で保持されている。
【００２８】
また、この開状態から、可動筐体２３を手で左方向へ摺動すると、この操作に伴って可動筐体２３に装着された可動体２が左方向へ移動し、ピン４Ａによって可動体２に係止された取付孔７Ａも左方向へ移動するため、ばね部材６の作動軸８がばね９をさらに撓めながら、ケース７内に押し込まれる。
【００２９】
そして、可動体２に係止された取付孔７Ａが、ピン４Ｂによって固定体１に係止された取付孔８Ａを超える位置になると、作動軸８がばね９によって再び外方へ付勢され、可動体２に対する一対のばね部材６の付勢方向が左方向へ変化して、可動筐体２３が固定筐体２２上に重なった状態、即ち、閉じた状態で保持される。
【００３０】
つまり、可動筐体２３に装着された可動体２を手で左または右方向へ移動させ、ばね部材６の力によって可動体２を左または右方向へ付勢することで、固定筐体２２に対する可動筐体２３の開閉操作が行われるように構成されている。
【００３１】
そして、この開閉操作時、ばね部材６のケース７内に収納された作動軸８左方外周には、複数の溝部８Ｂが設けられると共に、この作動軸８外周とケース内周の間には、潤滑剤が塗布されて緩衝手段が形成されているため、ばね９によって外方へ付勢される作動軸８の移動は、潤滑剤の粘性によって緩やかに行われるようになっている。
【００３２】
したがって、このばね９の反転力が緩和されたばね部材６に付勢された、可動体２の左または右方向への移動も緩やかに行われ、開閉操作時の可動筐体２３と固定筐体２２との衝撃や衝撃音が低減されるため、別途ダンパー機構等を設ける必要はなく、簡易な構成で、安価に良好な開閉操作感触が得られるように構成されている。
【００３３】
このように本実施の形態によれば、可動体２と固定体１の間に、略円筒状のケース７と、このケース７内に収納され、ばね９によって外方へ付勢された作動軸８から形成されたばね部材６の両端を装着すると共に、作動軸８外周に緩衝手段を設けることによって、開閉操作時のばね９の反転力が緩和され、衝撃や衝撃音が低減されるため、衝撃が少なく、簡易な構成で良好な開閉操作が可能な開閉装置を得ることができるものである。
【００３４】
また、作動軸８外周の緩衝手段を潤滑剤で形成することによって、例えば、作動軸８の溝部８Ｂにゴム等のリングを装着したり、作動軸８を比較的粘性のあるポリオキシメチレン等で形成したりして緩衝手段を形成する場合に比べ、作動軸８外周に潤滑剤を塗布するだけで緩衝手段が形成できるため、製作も容易で、安価な開閉装置を実現することができる。
【００３５】
なお、作動軸８外周に塗布する潤滑剤としては、フッ素やエステル系、グリコール系等の潤滑剤を用いても実施が可能であるが、高粘性及び低温での安定性等が得られるものとしては、シリコン系やオレフィン系等の潤滑剤が好ましい。
【産業上の利用可能性】
【００３６】
本発明による開閉装置は、衝撃が少なく、簡易な構成で良好な開閉操作が可能なものを得ることができ、各種電子機器の開閉装置として有用である。
【図面の簡単な説明】
【００３７】
【図１】本発明の一実施の形態による開閉装置の分解斜視図
【図２】同ばね部材の断面図
【図３】同ばね部材の分解斜視図
【図４】携帯電話の斜視図
【図５】従来の開閉装置の分解斜視図
【符号の説明】
【００３８】
１  固定体
２  可動体
４Ａ、４Ｂ  ピン
６  ばね部材
７  ケース
７Ａ、８Ａ  取付孔
８  作動軸
８Ｂ  溝部
９  ばね
１０  開閉装置
２２  固定筐体
２２Ａ  操作部
２２Ｂ  音声入力部
２３  可動筐体
２３Ａ  表示部
２３Ｂ  音声出力部
【図１】
2007278432.tif 000003
【図２】
2007278432.tif 000004
【図３】
2007278432.tif 000005
【図４】
2007278432.tif 000006
【図５】
2007278432.tif 000007